(57)【特許請求の範囲】
【請求項１】
毛を掴んで引き抜くための脱毛手段を備えた脱毛装置において、外周に複数の毛起こし部材を突設した回転体からなる毛起こし手段を脱毛装置の前方に配置し、毛起こし手段に脱毛手段の回転乃至回動軸と平行で且つこの軸から離間した回転軸を設けて成ることを特徴とする脱毛装置。
【請求項２】
毛起こし部材がブラシであることを特徴とする請求項１記載の脱毛装置。
【請求項３】
毛起こし部材が可撓性を有するフィンであることを特徴とする請求項１記載の脱毛装置。
【請求項４】
回転体に刺激付与手段を設けて成ることを特徴とする請求項１記載の脱毛装置。
【請求項５】
刺激付与手段が、回転体の回転により肌に振動を与えるために回転体の重心位置を回転中心から離れた位置に偏位させるための質量偏位物であることを特徴とする請求項４記載の脱毛装置。
【請求項６】
質量偏位物が、毛起こし部材を偏位配置して構成してあることを特徴とする請求項５記載の脱毛装置。
【請求項７】
毛起こし部材への肌への押し付け力を規制するための規制手段を設けて成ることを特徴とする請求項１記載の脱毛装置。
【請求項８】
規制手段が少なくとも回転体の前方に設けた肌当て部材であることを特徴とする請求項７記載の脱毛装置。
【請求項９】
回転体の後方にも肌当て部材を設けて成ることを特徴とする請求項８記載の脱毛装置。
【請求項１０】
規制手段が回転体の軸方向の両側に設けられた部材であることを特徴とする請求項７記載の脱毛装置。
【請求項１１】
肌当て部材の上面に肌伸ばし部材を設けて成ることを特徴とする請求項８又は請求項１０記載の脱毛装置。
【請求項１２】
規制手段が回転体をフロート乃至スイング自在としていることを特徴とする請求項７記載の脱毛装置。
【請求項１３】
毛起こし手段をフロート乃至スイング自在に支持して成ることを特徴とする請求項１記載の脱毛装置。
【請求項１４】
肌当て部材がくし状の整毛コームであることを特徴とする請求項８記載の脱毛装置。
【請求項１５】
規制手段が回転体に対して回転自在な肌当て部材であることを特徴とする請求項７記載の脱毛装置。
【発明の詳細な説明】
【０００１】
【発明の属する技術分野】
本発明は、美容などの目的のために体毛を取り除くために使用する脱毛装置に関するものである。
【０００２】
【従来の技術】
従来から体毛を取り除くために使用する脱毛装置として、例えば、特開平３ー１７８６０３号公報、ヨーロッパ特許公報第６１３３４５号、ヨーロッパ特許公報第０４６７７３３号、ヨーロッパ特許公報第０５９６２８３号が知られている。
【０００３】
上記の従来例において、特開平３ー１７８６０３号公報には脱毛要素とくし状のコームを設けたものが開示してあり、また、ヨーロッパ特許公報第６１３３４５号やヨーロッパ特許公報第０４６７７３３号にはコームやブラシが脱毛手段に取付けられ、回転するものが開示してある。また、ヨーロッパ特許公報第０５９６２８３号には脱毛手段を有する回転シリンダに毛を起こすためのブラシを回転シリンダの回転中心から偏心した位置で回転するように取付けたもの、すなわち、回転する脱毛手段に取付けられたブラシが毛を起こすために自転し且つ公転するものが開示してある。
【０００４】
【発明が解決しようとする課題】
上記従来例のうち特開平３ー１７８６０３号公報、ヨーロッパ特許公報第６１３３４５号、ヨーロッパ特許公報第０４６７７３３号のものは器具の進行か回転によって毛を起こすものであり、寝た毛やくせ毛などを一度の毛起こし動作で起こすことができず、起こされない毛が残るという問題があり、更に、肌の凹凸に追従しにくくていっそう起こされない毛が残るという問題がある。
【０００５】
また、ヨーロッパ特許公報第０５９６２８３号に示された従来例にあっては、ブラシが回転することで復数回毛が起こされるが、回転するブラシは自転のみでなく公転もするので、脱毛手段が肌に接する前に回転するブラシが肌から離れてしまうものであり、このため、せっかく起こされた毛が再び寝てしまい、脱毛手段でクランプして脱毛されない場合が発生するという問題があった。
【０００６】
本発明の課題は、寝た毛やくせ毛を確実に起毛させ、連続的に起毛させた状態を続けることにより毛の根元を確実に掴んで脱毛効率を高め、毛の根元を掴むことで脱毛刺激を低減することができる脱毛装置を提供するにある。
【０００７】
【課題を解決するための手段】
上記課題を解決するために、本発明の脱毛装置は、毛を掴んで引き抜くための脱毛手段を備えた脱毛装置において、外周に複数の毛起こし部材を突設した回転体からなる毛起こし手段を脱毛装置の前方に配置し、毛起こし手段に脱毛手段の回転乃至回動軸と平行で且つこの軸から離間した回転軸を設けて成ることを特徴とするものであり、脱毛装置の前方に配置した外周に毛起こし部材を設けた回転体からなる毛起こし手段により連続的に起毛させ続け、このようにして連続して起毛されて整毛された状態で回転体の後方に位置する脱毛装置により毛の根元を掴んで脱毛をするものである。
【０００８】
また、毛起こし部材がブラシであると、毛起こし及び整毛が効果的に行えることになる。
また、毛起こし部材が可撓性を有するフィンであると、毛起こし及び整毛が効果的に行えることになる。
また、回転体に刺激付与手段を設けると、皮膚に刺激を与えることにより脱毛手段により脱毛する際の脱毛刺激を低減することができることになる。
【０００９】
また、刺激付与手段が、回転体の回転により肌に振動を与えるために回転体の重心位置を回転中心から離れた位置に偏位させるための質量偏位物であると、振動により肌に刺激をして脱毛刺激を低減すると共に肌を振動させることで毛を起毛し易くなるものである。
また、質量偏位物が、毛起こし部材を偏位配置して構成してあると、振動により肌に刺激をして脱毛刺激を低減すると共に肌を振動させることで毛を起毛し易くするための構成を簡略化できることになる。
【００１０】
また、毛起こし部材への肌への押し付け力を規制するための規制手段を設けてあると、毛起こし部材の肌への接触抵抗を少なくすることができる。
ここで、規制手段が少なくとも回転体の前方に設けた肌当て部材であったり、あるいは回転体の前方に設けた肌当て部材だけでなく、回転体の後方にも肌当て部材を設けたものであったり、あるいは規制手段が回転体の軸方向の両側に設けられた部材であったりすることで、簡単な構成で規制手段を構成することができる。
【００１１】
また、肌当て部材の上面に肌伸ばし部材を設けることで、肌伸ばし部材で肌を伸ばした状態で回転体で連続して起毛し、このようにして連続して起毛されて整毛された状態で回転体の後方に位置する脱毛装置により毛の根元を掴んで脱毛をすることができる。
また、規制手段が回転体をフロート乃至スイング自在としていることで、肌に追従し、毛を確実に起毛できる。
【００１２】
また、毛起こし手段をフロート乃至スイング自在に支持してあることで、毛起こし手段による肌への押し付け抵抗を少なくできる。
また、肌当て部材がくし状の整毛コームであると、くし状の整毛コームにより寝た毛やくせ毛を整毛した状態で回転体で連続して確実に起毛し、このようにして連続して起毛されて整毛された状態で回転体の後方に位置する脱毛装置により毛の根元を掴んで脱毛をすることができる。
【００１３】
また、規制手段が回転体に対して回転自在な肌当て部材であることで、回転体の肌への接触抵抗を少なくすることができる。
【００１４】
【発明の実施の形態】
以下本発明の一実施形態を図１乃至図１０に基づいて詳述する。
添付図面に示す実施形態の脱毛装置は以下のような構成となっている。すなわち、本体１は二つ割りのハウジング１０内に電動機１１を内蔵した基体５を内装し、電源ジャック１４とスイッチ１５を設けて構成してある。基体５は電動機収納部５１に電動機１１をはめ込んで収納し、電動機１１の出力軸に設けたピニオン１２に中間歯車１３がかみ合っている。ここで、中間歯車１３にギア１３１が一体に形成してある。基体５には確動カム収納凹部５２が設けてあって、確動カム１７に一体に形成された軸１６が基体５を貫通して軸受９０を介して回転自在に取付けられており、確動カム１７は上記確動カム収納凹部５２内に収納してある。
【００１５】
軸１６の一端にはギア１３２が固着してあって、ギア１３２は中間ギア１３に一体に設けたギア１３１とかみ合っており、電動機１１の回転をピニオン１２、中間歯車１３を介してギア１３２へ回転を伝達して該ギア１３２と一体回転する軸１６を連設した確動カム１７を回転するようになっている。
確動カム１７の他端部には偏芯軸１９が偏芯して取付けてある。偏芯軸１９にはリンク８が取付けられ、リンク８は基体５に軸８２により回転自在に取付けられたギア８１に圧入固定されたピン８３によって取付けられ、確動カム１７が回転し、偏芯軸１９が回転することで、リンク８によって軸８２を中心にギア８１が往復動するようになっている。
【００１６】
回動基台３３は軸３４により基体カバー５ｂと基体カバー５ａとに回動自在に取付けてある。この場合、軸３４は基体カバー５ｂと基体カバー５ａに固定し、回動基台３３に固定された軸受け３３ａ、３３ｂに遊挿する。フレーム３８はフック３８１によりハウジング１０に固定的に設けた取付台９１に着脱自在に取付けてある。
【００１７】
回動基台３３には図３に示すように長穴３３６が設けてあり、長穴３３６の両側に所定間隔を隔てて係止溝３３２が設けてある。可動爪３２は一端部が毛の挟持部となっており、両側の突片部が支点部３２５となっており、また、支点部３２５が係止溝３３２に回動の支点となるように差し込んである。回動基台３３の一端部にはギア３３４が設けてあり、ギア８１にかみ合っていて、ギア８１の往復回動によって回動基台３３を往復回動するようになっている。
【００１８】
開閉手段を構成する開閉レバー３５、３６は図８に示すように、それぞれ一方に溝３５１、３６１を有し、可動爪３２の毛を挟持する側と反対側の端部３２９をそれぞれ係合しており、この係合部分が固定爪３１に対して支点部３２５を支点として毛を挟持するために押圧するための力点となっている。
また、溝３５１、３６１は可動爪３２を一つおきに係合している。また開閉レバー３５、３６の他端は外周に円弧溝３５３、３６３を形成してローラ３５６、３６６にそれぞれ係合し、後述のローラ３５６、３６６の相反する方向の揺動により開閉レバー３５、３６に貫通し回動基台３３に固定された軸７５に案内され相反する方向に往復動するようになっている。
【００１９】
可動爪３２は支点部３２５を支点として開閉レバー３５、３６の相反する方向の往復動により揺動して一つおきの固定爪３１の両側で同時に押圧して毛を挟持して回動基台３３の回動により毛を引き抜くものである。
図７に示すように、確動カム１７は円筒状をしていて外周面の両側にＸ形状に交差する交差部を持つ２条の確動カム溝１７１、１７２が設けてある。この確動カム溝１７１、１７２は互いに相反する方向に蛇行している。
【００２０】
開閉カム６３、７３は基体５に圧入固定された揺動軸６２、７２により回動自在に軸支してあり、また、開閉カム６３、７３の上面部の上記揺動軸６２、７２から偏心した位置に軸６３１、７３１の下部を圧入固定してあり、この軸６３１、７３１の上部にローラ３５６、３６６を回動自在に取付けてある。ローラ３５６、３６６は開閉レバー３５、３６の円弧溝３５３、３６３に係合して摺動自在に連結してある。また、開閉カム６３、７３から側方に突部を設けてあり、この突部に設けた軸孔６３２、７３２にこま６６ａ、６６ｂが回転自在に取付けてある。ここで、軸６３１、７３１の位置とこま６６ａ、６６ｂの軸支位置とは開閉カム６３、７３の揺動軸６２、７２を中心にして互いに反対方向に位置している。
【００２１】
回転自在に取付けたこま６６ａ、６６ｂをそれぞれ確動カム溝１７１、１７２に摺動自在にはめ込んであって、確動カム１７が回転することで、こま６６ａ、６６ｂを介して開閉カム６３、７３の他端に設けた揺動自在なローラ３５６、３６６を互いに相反する方向に揺動させるようになっている。
脱毛手段２はフレーム３８と、フレーム３８内に回動自在に配置された爪支持部材である回動基台３３と、回動基台３３に対し所定間隔を保つように移動不能に取付けられた固定爪３１と、これらの固定爪３１間に並設されて支点部３２５を回動基台３３の係止溝３３２に揺動自在に支持された可動爪３２と、可動爪３２を可動するための開閉レバー３５、３６と、肌当て部材３９で構成してある。そして、回動基台３３に並設する爪は上記のように回動基台３３とともに回動するもので、回動基台３３に対して動かない固定爪３１と、回動基台３３とともに回動し且つ回動基台３３に対して揺動自在となった可動爪３２とで構成してある。また、ローラ２０００は回動基台３３に対して揺動自在に取付けられている。また、固定爪３１は外周端部が毛の挟持部となっている。
【００２２】
図６に示すように、フレーム３８の側方内側には長穴３８２が設けてあり、肌当て部材３９の両外側面に設けたボス３９１３が上下移動自在に係合してある。また、肌当て部材３９内側には一対の支点３９１４が対向して設けてあり、この支点３９１４が基体カバー５ａ、５ｂに設けた溝５ａ１、５ｂ１に係合し、支点３９１４を中心にして基台５に対して肌当て部材３９が回動自在となっている。
【００２３】
肌当て部材３９は前述のようにボス３９１３によりフレーム３８に上下動自在に取付けられると共にフレーム３８のフック３８１により本体１から着脱されるようになっている。
このようにして肌当て部材３９はフレーム３８と一体に着脱されると共に肌の凹凸に対して回動して追従を良くし、肌当たりを良くするものである。
【００２４】
次に、脱毛用の爪を含む駆動ブロックのフロートを説明する。図１、図１０に示すように爪を含む駆動ブロックは下端に配置したばね４５で上下動自在に押圧してある。
駆動ブロックの側方には基体カバー５ａ、５ｂに突リブ５ａ２、５ｂ２が設けてあり、フロートばね９００に設けた穴に係合して弾性的に上下移動自在に支持してある。
【００２５】
上記爪を含む駆動ブロックは図１０に示すように肌当て部材３９が肌に押し付けられる時に肌当て部材３９に設けた支点３９１４を介して爪を含む駆動ブロックばね４５を押圧してフロートするようになっている。次に、図２、図３、図４に示すように、肌当て部材３９の肌面に接する面には脱毛装置の進行方向の前方に肌伸ばし部材３９１を突設させてあり、脱毛時に肌を引き伸ばして脱毛刺激を低減している。この肌伸ばし部材３９１はゴム等の摩擦の大きい弾性体の方が肌の引き伸ばし効果がある。もちろん、肌当て部材３９をゴム等で形成してもよい。また、ローラ３９９は軸３９１１に回転自在に設けられていて、肌の滑りを良くし、肌を脱毛装置の進行方向に引っ張らないようにしている。
【００２６】
次に、本発明の外周に毛起こし部材１００１を設けた回転体１０００により構成される毛起こし手段について詳述する。
図６に示すように、肌当て部材３９の前方に肌伸ばし部材３９１を設け、この肌伸ばし部材３９１と脱毛手段２との間の位置に回転体１０００を配置して回転体１０００の両端部を肌当て部材３９に回転自在に取付けてある。回転体１０００の外周には毛起こし部材１００１が設けてある。ここで回転体１０００の軸と脱毛手段２の回転乃至回動軸とは平行となっていて両者は離間している。なお、本実施形態においては回転体１０００の外周にブラシ１００２よりなる毛起こし部材１００１を設けた例が示してある。
【００２７】
回転体１０００を回転する駆動伝達機構は以下のような構成となっている。すなわち、図１、図２に示すように、確動カム１７の一端部に軸１７３が固定されており、この軸１７３にフレキシブル回転軸を構成するばね４１の一端部が固定してあり、また、このばね４１の他端部はカバー５ａに回転自在に取付けられた軸４の一端部に固定してあり、確動カム１７を回転することで、フレキシブル回転軸を構成するばね４１を介して軸４を回転するようになっている。一方、回転体１０００の一端部にはフレキシブル回転軸を構成するばね４３の一端部が固定してあり、該ばね４３の他端部に連結部材４２の一端部が固定してある。連結部材４２の他端部は多角形状をしており、前記軸４の一方に設けた多角形状の孔を有する取付け部４０１に上記連結部材４２の多角形状をした端部４２１が着脱自在に取付けてあり、軸４の回転をばね４１を介して回転体１０００に伝達するようになっている。そして、脱毛手段２の前方で、図２、図５、図１１に示すように毛を起こすように器具の進行方向（Ａ方向）に対して同一方向（Ｃ方向）に回転するようになっており、脱毛手段２は回転体１０００と反対方向（Ｂ方向）へ毛を引き抜くように構成してある。
【００２８】
また、図９に示すように、肌当て部材３９のスイングで、ばね４３の変形と、連結部材４２の取付け部４０１からの上下動により、肌当て部材３９と一体に回転体１０００が肌に追従し、基台５に対して回転体１０００が上下動自在にフロートするように構成してある。このように基台５に対して回転体１０００が上下動自在にフロートするように構成することで、更に肌当たりが良くて肌に追従するようになる。
【００２９】
しかして、上記のように、回転体１０００に回転力が伝達されて回転体１０００が回転駆動することで、図１１に示すように、肌伸ばし部材３９１と脱毛手段２との間において、毛起こし部材１００１により寝た毛やくせ毛を確実に起こし、回転により連続的に起毛させた状態を維持しながら脱毛手段２の爪３１、３２により毛の根元を掴み、毛流れ方向に毛を引き抜くのである。このことで、脱毛の刺激が少なく、毛切れもなく、また、効率良く爪３１、３２に導入され、効率良く脱毛できることになる。なお、図中イは肌を示し、ロは毛を示している。
【００３０】
また、前方の肌伸ばし部材３９１と後方に位置するローラ３９９により、回転体１０００に設けた毛起こし部材１００１の肌への接触抵抗が少なくなるように、毛起こし部材１００１の外周先端を前記肌伸ばし部材３９１とローラ３９９の上端とを結ぶ線と略面一となるように構成してある。つまり、肌伸ばし部材３９１とローラ３９９とが毛起こし部材１００１への肌への押し付け力を規制する規制手段を構成している。ここで、規制手段としては肌伸ばし部材３９１と脱毛手段２の肌接触面とで構成してもよい。この場合は、毛起こし部材１００１の外周先端を、肌伸ばし部材３９１と脱毛手段２の肌接触面とを結ぶ線と略面一とするものである。
【００３１】
肌伸ばし部材３９１は図６、図１１に示すように、くし状のコームで形成してあり、毛を整毛し、毛を起こすようにしてあり、コームの先端には器具の進行方向と直交するようにフィン３９１ａを複数列設けてあり、起毛をさせ、肌当たりを良くしている。
図１０には本発明の器具において肌当て部材３９及び脱毛手段２を肌に押し付けた場合におけるフロート状態を示している。ここで、矢印方向の力が作用すると、肌当て部材３９は駆動部と一体にフロートするようにしてあり、図６、図１０に示すように、フレーム３８の上端よりも下方にフロート可能とし、肌当て部材３９及び脱毛手段２に押し付けによる抵抗が少なくなるようにしている。
【００３２】
次に、回転体１０００に設けた毛起こし部材１００１の他の実施形態を図１２乃至図１８に基づいて詳述する。
すなわち図１０の実施例ではブラシ１００２よりなる毛起こし部材１００１を回転体１０００の外周部に設けたが、図１２、図１３に示す実施形態においては、回転体１０００の外周部に軸方向及び周方向に可撓性を有するフィン１００３を複数設けて、該フィン１００３を毛起こし部材１００１とした例を示している。ここで、フィン１００３は回転体１０００と交差する方向に設けてあり、また複数のフィン１００３を回転体１０００の周方向に配置してある。このフィン１００３は肌との抵抗を少なくするために、また根元を厚く先端が薄肉となる形状をしていて可撓性を有しているものである。しかして、回転体１０００が回転することで、図１３（ｃ）のようにフィン１００３の先端の薄肉部分が肌に当たって変形し、フィン１００３の先端部と回転体１０００との間に毛ロが入りやすくして、フィン１００３の先端の肌に当たって変形した部分で毛ロをすくい上げて毛ロを起こすことになり、肌当たりが良く、寝た毛やくせ毛を根元から起毛し、毛ロの根元側の高さを肌から高くして、脱毛手段２により毛を掴みやすくして脱毛効率を高めている。そして、フィン１００３を周方向に複数個設けることで、回転体１０００の回転により毛が連続的に起毛状態を維持されることになる。
【００３３】
ここで、図１３（ｄ）のようにフィン１００３を弧状に形成して先端に引っ掛け部を設けるようにしておくと、引っ掛け部によってより効率的に且つ正確に起毛することができるものである。
図１４には他の実施形態が示してある。この実施形態においては、回転体１０００の外周部の軸方向及び周方向に多数のブラシ毛１００５と多数の弾性突起体１００４とが突設してある。ここで、ブラシ毛１００５は弾性突起体１００４よりも径が細く、且つブラシ毛１００５の先端が弾性突起体１００４の先端よりも突出長さが長くなっている。弾性突起体１００４はブラシ毛１００５を束にしたものであってもよい。しかして、この実施形態においては、回転体１０００を回転することにより、長さの長いブラシ毛１００５で長い毛を起こし、長さの短い径の太い弾性突起体１００４により短い毛を起毛して効率的な脱毛ができるようにしてある。
【００３４】
また、図１５には更に他の実施形態が示してある。この実施形態においては、回転体１０００の外周部にブラシ１００２を設けてあるが、ブラシ１００２の周方向におけるブラシ列間に回転体１０００の軸方向に平行となった弾性を有する薄肉のフィン１００６を周方向に複数設けてある。ここで弾性を有するフィン１００６は皮膚への刺激付与手段となっている。しかして、回転体１０００を回転することで、ブラシ１００２により毛を起毛させるとともに、弾性を有するフィン１００６により皮膚に機械的刺激を与えることにより、脱毛刺激を低減するようになっている。
【００３５】
また、図１６には更に他の実施形態が示してある。この実施形態においては、弾性を有する薄肉のフィン１００７を回転体１０００の軸方向に平行に複数配置し且つ周方向にも複数配置した例を示している。この実施形態では毛を整毛し、押さえ付けないようになっている。
また、図１７には更に他の実施形態が示してある。この実施形態においては、回転体１０００に回転体１０００の重心位置が回転中心から偏心した位置に偏位するように質量偏位物１００８を設けたものであり、回転体１０００を回転することで肌に振動させて毛を起毛し易くしたものである。
【００３６】
また、図示を省略しているが、質量偏位物を毛起こし部材１００１により構成し、回転軸１０００に対して毛起こし部材１００１を偏位して配置することで、回転帯１０００の重心の一を回転中心から偏位させ、このことにより肌に振動を与えるようにしてもよい。
また、図１８には更に他の実施形態が示してある。この実施形態においては、回転体１０００に回転自在な肌当て輪体１００９を設けて回転体１０００の肌との接触抵抗を少なくしている。
【００３７】
なお、図１３、図１４、図１６、図１８等において、肌との接触抵抗を少なくするためブラシ毛やフィンの軸方向のピッチＰは０．５〜３ｍｍとするのが好ましい。
図１９、図２０には本発明における毛起こし部材１００１を有する回転体１０００を回転駆動させる他の実施形態を示している。
【００３８】
脱毛手段２の構成及び作用は前述の実施形態と同様であるので説明は省略する。確動カム１７に固定されているギヤ１３２の側面にギヤ３００２を設けて、ギヤ３００２が確動カム１７と一体に回転するようになっている。基体カバー５ａに固定して設けられた軸受け３００７に軸３０００が回転自在に設けてあり、この軸３０００の一方に設けたギヤ３００１がギヤ３００２により回転を伝達されるようになっている。肌当て部材３９に設けた軸３００５にギヤ３００４が取付けてあり、前記軸３０００の他端に設けたギヤ３００３がギヤ３００４に回転を伝達するようになっている。図１９、図２０に示すようにギヤ３００４はベルト３００６が係合し、ベルト３００６により回転体１０００を回転駆動し、毛起こし部材１００１を回転駆動するようになっている。
【００３９】
ここで、回転体１０００は肌当て部材３９に回転自在に取付けられ、ベルト３００６及びギア３００４とともにフレーム３８の着脱により取り外し可能としてあり、ギヤ３００３、ギヤ３００４が係合自在となっていてベルト３００６の軸間距離が変化しないようにしてある。
また、ギヤ３００４の回転軸３００５の中心と肌当て部材３９のスイングの中心とが一致するようにしてある。このようにスイングの中心と軸間距離を変えないように肌当て部材３９をリンクとして回転伝達することで、回転体１０００が肌当て部材３９と一体にスイング可能となり、肌に追従し、毛を起毛し、脱毛することができると共に、前記実施例のばね４３の変形がなく、駆動伝達を確実にすることができるものである。
【００４０】
また、ベルト３００６は回転体１０００の過負荷に対する摩擦クラッチとなり、毛の巻き込みなどによる破壊を防止することができるものである。
また、ベルト３００６の代わりにギヤやローラでも駆動伝達を行うことができるものである。
【００４１】
【発明の効果】
本発明の請求項１記載の発明にあっては、毛を掴んで引き抜くための脱毛手段を備えた脱毛装置において、外周に複数の毛起こし部材を突設した回転体からなる毛起こし手段を脱毛装置の前方に配置し、毛起こし手段に脱毛手段の回転乃至回動軸と平行で且つこの軸から離間した回転軸を設けてあるので、回転体が回転駆動して、回転体の外周に突設した複数の毛起こし部材により寝た毛やくせ毛を確実に起こし、回転体の回転により連続的に起毛させた状態を維持しながら脱毛手段により毛の根元を掴み、毛流れ方向に毛を引き抜くことができ、脱毛効率を高め脱毛刺激を低減することができるものである。
【００４２】
また、請求項２記載の発明にあっては、上記請求項１記載の効果に加えて、毛起こし部材がブラシであるので、毛起こし及び整毛が効果的に行えるものである。
また、請求項３記載の発明にあっては、上記請求項１記載の効果に加えて、毛起こし部材が可撓性を有するフィンであるので、肌への接触抵抗を少なくし、寝た毛やくせ毛を効率良く起毛し、整毛することにより、脱毛効率を高めると共に肌当たりを良くするものである。
【００４３】
また、請求項４記載の発明にあっては、上記請求項１記載の効果に加えて、回転体に刺激付与手段を設けてあるので、皮膚に刺激を与えることで脱毛手段により脱毛する際の脱毛刺激を低減することができるものである。
また、請求項５記載の発明にあっては、上記請求項４記載の効果に加えて、刺激付与手段が、回転体の回転により肌に振動を与えるために回転体の重心位置を回転中心から離れた位置に偏位させるための質量偏位物であるので、振動により肌に刺激をして脱毛刺激を低減すると共に肌を振動させることで毛を起毛し易くなるものである。
【００４４】
また、請求項６記載の発明にあっては、上記請求項５記載の効果に加えて、質量偏位物が、毛起こし部材を偏位配置して構成してあるので、刺激付与手段を簡単な構成で形成できて、振動により肌に刺激をして脱毛刺激を低減すると共に肌を振動させることで毛を起毛し易くするための構成を簡略化できることになる。また、請求項７記載の発明にあっては、上記請求項１記載の効果に加えて、毛起こし部材への肌への押し付け力を規制するための規制手段を設けてあるので、毛起こし部材の肌への接触抵抗を少なくすることができ、この結果、低負荷で脱毛効率のよい脱毛装置を提供できるものである。
【００４５】
また、請求項８記載の発明にあっては、上記請求項７記載の効果に加えて、規制手段が少なくとも回転体の前方に設けた肌当て部材であるので、簡単な構成で規制手段を構成することができるものである。
また、請求項９記載の発明にあっては、上記請求項８記載の効果に加えて、回転体の後方にも肌当て部材を設けてあるので、簡単な構成で規制手段を構成することができるものである。
【００４６】
また、請求項１０記載の発明にあっては、上記請求項７記載の効果に加えて、規制手段が回転体の軸方向の両側に設けられた部材であるので、簡単な構成で規制手段を構成することができるものである。
また、請求項１１記載の発明にあっては、上記請求項８又は請求項１０記載の効果に加えて、肌当て部材の上面に肌伸ばし部材を設けてあるので、肌伸ばし部材で肌を伸ばした状態で回転体で連続して起毛し、このようにして連続して起毛されて整毛された状態で回転体の後方に位置する脱毛装置により毛の根元を掴んで脱毛をすることができるものである。
【００４７】
また、請求項１２記載の発明にあっては、上記請求項７記載の効果に加えて、規制手段が回転体をフロート乃至スイング自在としているので、肌に追従し、毛を確実に起毛して効率の良い脱毛を行うことができるものである。
また、請求項１３記載の発明にあっては、上記請求項１記載の効果に加えて、毛起こし手段をフロート乃至スイング自在に支持してあるので、毛起こし手段による肌への押し付け抵抗を少なくできるものである。
【００４８】
また、請求項１４記載の発明にあっては、上記請求項８記載の効果に加えて、肌当て部材がくし状の整毛コームであるので、くし状の整毛コームにより寝た毛やくせ毛を整毛した状態で回転体で連続して確実に起毛し、このようにして連続して起毛されて整毛された状態で回転体の後方に位置する脱毛装置により毛の根元を掴んで脱毛をすることができるものである。
【００４９】
また、請求項１５記載の発明にあっては、上記請求項７記載の効果に加えて、規制手段が回転体に対して回転自在な肌当て部材であるので、回転体の肌への接触抵抗を少なくすることができるものである。
【図面の簡単な説明】
【図１】本発明の一実施形態の正面断面図である。
【図２】図１のＸーＸ線断面図である。
【図３】図１ＹーＹ線断面図である。
【図４】図１ＺーＺ線断面図である。
【図５】同上の上面図である。
【図６】同上の肌当て部材や毛起こし手段を示す分解斜視図である。
【図７】同上の本体の駆動ブロックの分解斜視図である。
【図８】同上の固定爪及び可動爪の取付けを示す分解斜視図である。
【図９】同上の肌当て部材と毛起こし手段のスイング状態を示す説明図である。
【図１０】同上の肌に押し当てて下方にフロートした状態の正面断面図である。
【図１１】同上の動作を説明する動作説明図である。
【図１２】同上の他の実施形態の動作説明図である。
【図１３】同上の毛起こし手段の実施形態を示し、（ａ）は斜視図であり、（ｂ）は断面図であり、（ｃ）は作用説明図であり、（ｄ）は他の実施形態の断面図である。
【図１４】同上の毛起こし手段の更に他の実施形態を示し、（ａ）は斜視図であり、（ｂ）は断面図である。
【図１５】同上の毛起こし手段の更に他の実施形態を示し、（ａ）は斜視図であり、（ｂ）は断面図である。
【図１６】同上の毛起こし手段の更に他の実施形態の斜視図である。
【図１７】同上の毛起こし手段の更に他の実施形態の斜視図である。
【図１８】同上の毛起こし手段の更に他の実施形態を示し、（ａ）は斜視図であり、（ｂ）は断面図である。
【図１９】同上の回転体を駆動する他の実施形態を示す正面断面図である。
【図２０】図１９のＷーＷ線の断面図である。
【符号の説明】
２  脱毛手段
１０００  回転体
１００１  毛起こし部材
【図１】
0003711593.tif 000002
【図２】
0003711593.tif 000003
【図３】
0003711593.tif 000004
【図４】
0003711593.tif 000005
【図５】
0003711593.tif 000006
【図６】
0003711593.tif 000007
【図７】
0003711593.tif 000008
【図８】
0003711593.tif 000009
【図９】
0003711593.tif 000010
【図１０】
0003711593.tif 000011
【図１１】
0003711593.tif 000012
【図１２】
0003711593.tif 000013
【図１３】
0003711593.tif 000014
【図１４】
0003711593.tif 000015
【図１５】
0003711593.tif 000016
【図１６】
0003711593.tif 000017
【図１７】
0003711593.tif 000018
【図１８】
0003711593.tif 000019
【図１９】
0003711593.tif 000020
【図２０】
0003711593.tif 000021